(57)【特許請求の範囲】
【請求項１】
上側ベルトと下側ベルトとを備えており、
前記上側ベルトは、装着者の上腹に当てがわれる、該上腹に沿って撓むことは可能であるが実質上非伸縮性の上側の腹当て板状部と、該上側腹当て板状部に連結され、該上側腹当て板状部を上腹に当てがった状態で該状態を保持するように装着者の胴に巻き締め装着可能の上側ベルト部とを含んでおり、
前記下側ベルトは、装着者の下腹に当てがわれる、該下腹に沿って撓むことは可能であるが実質上非伸縮性の下側の腹当て板状部と、該下側腹当て板状部に連結され、該下側腹当て板状部を下腹に当てがった状態で該状態を保持するように装着者の胴に巻き締め装着可能で、且つ、装着者の背中側で前記上側ベルト部に重ねて巻き締め装着可能の下側ベルト部とを含んでおり、
前記上側ベルトと下側ベルトとは前記上側腹当て板状部の下端部に前記下側腹当て板状部の上端部が連結されることで相互に連結されており、
該上側及び下側の腹当て板状部は相互に屈曲可能に連結されており、
該上側及び下側の腹当て板状部はそれぞれ可撓性板状体を有していることを特徴とする腹部サポートベルト。
【請求項２】
前記上側及び下側の各腹当て板状部は、合成樹脂繊維を編成又は織成してなる実質上非伸縮性の網目構造面状体の内面に前記可撓性板状体を重ね、該板状体の内面に布地を重ねて形成したものである請求項１記載の腹部サポートベルト。
【請求項３】
前記上側ベルト部は上側左右ベルト部からなり、該左右ベルト部は少なくとも一方が伸縮性を有しており、
前記上側左ベルト部は片側端部で前記上側腹当て板状部の左端部に連結されるとともにファスナ部を有しており、
前記上側右ベルト部は片側端部で前記上側腹当て板状部の右端部に連結されるとともに前記上側左ベルト部のファスナ部に連結可能のファスナ部を有しており、
前記下側ベルト部は下側左右ベルト部からなり、該左右ベルト部は少なくとも一方が伸縮性を有しており、
前記下側左ベルト部は片側端部で前記下側腹当て板状部の左端部に連結されるとともにファスナ部を有しており、
前記下側右ベルト部は片側端部で前記下側腹当て板状部の右端部に連結されるとともに前記下側左ベルト部のファスナ部に連結可能のファスナ部を有している  請求項１又は２記載の腹部サポートベルト。
【請求項４】
前記上側左右ベルト部の両ファスナ部は面状ファスナを形成するものであるとともに前記下側左右ベルト部の両ファスナ部は面状ファスナを形成するものである請求項３記載の腹部サポートベルト。
【発明の詳細な説明】
【０００１】
【発明の属する技術分野】
本発明は人体の腹部を整形するための腹部サポートベルトに関する。
【０００２】
【発明の背景】
人体の腹部を整形するためのベルトはこれまで種々提案されている。それらはいずれも、腹部を腹巻状に一重に、或いは二重等に単純に巻き締めるものである。
【０００３】
しかしこのようなベルトは、上腹及び下腹を略同じ強さで巻き締めるものであるから、上腹を特に強く、或いは下腹を特に強く巻き締めるというように、上腹、下腹の出具合に応じて巻き締め加減を調整することはできない。
【０００４】
また、腹が出てくると、特に下腹が出てくると、それは下方へ垂れ下がろうとする傾向にあるところ、単純に腹を巻き締めるだけのものであるから、腹部の垂れ下がりを持ち上げ整形し得る効果は期待できない。
【０００５】
【発明が解決しようとする課題】
本発明は上腹、下腹それぞれに対し、別々に巻き締め強さを調整して装着できるとともに下腹を持ち上げるように装着でき、もって腹部全体を見栄えよく整形できる腹部サポートベルトを提供することを課題とする。
【０００６】
【課題を解決するための手段】
本発明は前記課題を解決するため、
上側ベルトと下側ベルトとを備えており、
前記上側ベルトは、装着者の上腹に当てがわれる、該上腹に沿って撓むことは可能であるが実質上非伸縮性の上側の腹当て板状部と、該上側腹当て板状部に連結され、該上側腹当て板状部を上腹に当てがった状態で該状態を保持するように装着者の胴に巻き締め装着可能の上側ベルト部とを含んでおり、
前記下側ベルトは、装着者の下腹に当てがわれる、該下腹に沿って撓むことは可能であるが実質上非伸縮性の下側の腹当て板状部と、該下側腹当て板状部に連結され、該下側腹当て板状部を下腹に当てがった状態で該状態を保持するように装着者の胴に巻き締め装着可能で、且つ、装着者の背中側で前記上側ベルト部に重ねて巻き締め装着可能の下側ベルト部とを含んでおり、
前記上側ベルトと下側ベルトとは前記上側腹当て板状部の下端部に前記下側腹当て板状部の上端部が連結されることで相互に連結されており、
該上側及び下側の腹当て板状部は相互に屈曲可能に連結されており、
該上側及び下側の腹当て板状部はそれぞれ可撓性板状体を有している
腹部サポートベルトを提供する。
【０００７】
この腹部サポートベルトは、これを装着使用しようとする者が、上側ベルトの上側腹当て板状部を上腹に当てがい、この状態を、上側ベルト部を胴部に所望の強さで巻き締め装着して保持することで上腹を整形でき、下側ベルトの下側腹当て板状部を下腹に当てがい、この状態を、下側ベルト部を胴部に巻き締め装着し、且つ、下側ベルト部を背中側で上側ベルト部に重ねて巻き締め装着することで下腹を持ち上げるようにして整形できる。
【０００８】
かくして上腹、下腹それぞれに対し、別々に巻き締め強さを調整して装着できるとともに下腹を持ち上げるようにして凹ませて装着でき、もって腹部全体を見栄えよく整形できる。
【０００９】
なお、上側及び下側の腹当て板状部について「実質上非伸縮性」であるとは、伸縮性が無いとはいえないが、腹部に当ててこれを凹ませ得るとの観点からすれば非伸縮性とみてよい場合も含む意味である。
【００１０】
本発明に係る腹部サポートベルトでは、前記上側及び下側の腹当て板状部は相互に屈曲可能に連結されているから、より効果的に、見栄えよく下腹を持ち上げつつ凹ませるように整形することができる。すなわち、上側ベルトが上腹に対し装着された状態で、下腹の出具合に応じて下側腹当て板状部を上側腹当て板状部に対し屈曲して、容易、確実に下腹に下方から持ち上げる姿勢で当接させることができる。
【００１１】
前記上側及び下側の各腹当て板状部は、腹部に沿って撓むことは可能であるが実質上非伸縮性を示すとともに、丈夫で型崩れし難く、少なくとも部分的に通気性、吸湿性を示すものとして、それには限定されないが、例えば、合成樹脂繊維を編成及び（又は）織成してなる実質上非伸縮性の網目構造面状体の内面に可撓性板状体を重ね、該板状体の内面に布地を重ねて形成したものを挙げることができる。
【００１２】
前記の上側ベルト部や下側ベルト部は、扱い易く、胴部へ装着し易くするために伸縮性ベルト部としてもよい。
【００１３】
また、上側ベルト部は、扱い易く、胴部へ装着し易くするために、例えば、上側腹当て板状部の左右端部にそれぞれ連結され、該上側腹当て板状部を上腹に当てがった状態で背中側へ回して相互連結可能の上側左右ベルト部としてもよく、下側ベルト部についても、同様の理由で、例えば、下側腹当て板状部の左右端部にそれぞれ連結され、該下側腹当て板状部を下腹に当てがった状態で背中側へ回して相互連結可能の下側左右ベルト部としてもよい。この場合も、上側左右ベルト部は少なくとも一方を伸縮性ベルト部としてもよく、下側左右ベルト部についても少なくとも一方を伸縮性ベルト部としてもよい。
【００１４】
いずれにしても上側ベルト部として左右ベルト部を採用する場合、例えば、上側左ベルト部は片側端部で上側腹当て板状部の左端部に連結されるとともに、自由端部或いはそれを含む部分等にファスナ部を有しており、上側右ベルト部は片側端部で上側腹当て板状部の右端部に連結されるとともに、自由端部或いはそれを含む部分等に前記上側左ベルト部のファスナ部に連結可能のファスナ部を有していてもよく、下側ベルト部として左右ベルト部を採用する場合にも、例えば、下側左ベルト部は片側端部で下側腹当て板状部の左端部に連結されるとともに、自由端部或いはそれを含む部分等にファスナ部を有しており、下側右ベルト部は片側端部で下側腹当て板状部の右端部に連結されるとともに、自由端部或いはそれを含む部分等に前記下側左ベルト部のファスナ部に連結可能のファスナ部を有していてもよい。
【００１５】
かかる上側左右ベルト部の両ファスナ部は、胴部巻き締め強さの調節を容易化する上で所謂面状ファスナを形成するものであってもよい。下側左右ベルト部の両ファスナ部についても、所謂面状ファスナを形成するものであってもよい。
【００１６】
例えば、左右のファスナ部のうち一方がフックを多数分散立設した面状雄ファスナ部であり、他方が該フックが係脱可能のループを多数分散形成した面状雌ファスナ部であるファスナである。
【００１７】
【発明の実施の形態】
以下本発明の実施の形態について図面を参照して説明する。
【００１８】
図１は腹部サポートベルトの正面図であり、ベルト部の拡大図を円で囲って併せて示す。図２は図１に示す腹部サポートベルトの背面図である。
【００１９】
図３は装着者が腹部サポートベルトを装着した状態の正面図であり、図４は腹部サポートベルトを装着した状態の側面図である。
【００２０】
図１〜図４に示す腹部サポートベルトＳＢは、上側ベルト１と下側ベルト２とを備えている。
【００２１】
上側ベルト１は、装着者Ｈの上腹ＵＷに当てがわれ、上腹ＵＷに沿って撓む上側の腹当て板状部１１と、上側腹当て板状部１１に連結され、装着者Ｈの胴Ｄに巻き締め装着可能の上側ベルト部１２とを含んでいる。
【００２２】
また、下側ベルト２は、装着者Ｈの下腹ＬＷに当てがわれ、下腹ＬＷに沿って撓む下側の腹当て板状部２１と、下側腹当て板状部２１に連結され、装着者Ｈの背中側で上側ベルト部１２に重ねて巻き締め装着可能の下側ベルト部２２とを含んでいる。
【００２３】
上側の腹当て板状部１１と下側の腹当て板状部２１は装着者Ｈのそれぞれの装着部位（板状部１１は上腹ＵＷ、板状部２１は下腹ＬＷ）に沿って撓むが、全体として実質上伸縮しない。さらに説明すると、上側腹当て板状部１１は、合成樹脂繊維を編成した、腹部に沿って撓むことができるが実質上伸縮性のない外側の網目構造面状体１１１と、内側布地１１２との間に可撓性を有する合成樹脂板状体１１３を挟み、それらの周辺部を縫着したもので、全体として若干の通気性、吸湿性を有するものである。下側腹当て板状部２１は、合成樹脂繊維を編成した、腹部に沿って撓むことができるが実質上伸縮性のない外側の網目構造面状体２１１と、内側布地２１２との間に可撓性を有する合成樹脂板状体２１３を挟み、それらの周辺部を縫着したもので、全体として若干の通気性、吸湿性を有するものである。
【００２４】
ここで、「実質上非伸縮性」とは、伸縮性が無いとはいえないが、腹部に当ててこれを凹ませうるとの観点からみれば非伸縮性と見なすことができる場合も含む意味である。
【００２５】
上側ベルト部１２は上側左ベルト部１２Ｌと上側右ベルト部１２Ｒとからなり、左ベルト部１２Ｌ及び右ベルト部１２Ｒはそれぞれ伸縮性を有している。ここでの右、左は装着者がサポートベルトＳＢを装着した状態で装着者Ｈから見て右側、左側である。左ベルト部１２Ｌは片側端部が上側腹当て板状部１１の左端部に縫着連結されており、右ベルト部１２Ｒは片側端部が板状部１１の右端部に縫着連結されている。右ベルト部１２Ｒは自由端部１２１Ｒの裏側（装着者Ｈの胴Ｄに面する側）に、フックを多数分散立設した面状雄ファスナ部１３１を有している。上側左ベルト部１２Ｌの表側（装着者Ｈの胴Ｄに接触しない外側）は前記の面状雄ファスナ部１３１のフックが係脱可能のループを多数分散形成した面状雌ファスナ部１３２を有している。上側左ベルト部１２Ｌの表側が面状雌ファスナ部１３２に構成されていることより、右ベルト部１２Ｒの面状雄ファスナ部１３１を左ベルト部１２Ｌの面状雌ファスナ部１３２の任意の部分に係脱することができ、これにより上側ベルト１のサイズ調整や胴Ｄ巻き締め強さの調節が容易である。
【００２６】
下側ベルト部２２は下側左ベルト部２２Ｌと下側右ベルト部２２Ｒとからなる。左ベルト部２２Ｌはその片側端部が下側腹当て板状部２１の左端部に縫着連結されており、右ベルト部２２Ｒはその片側端部が板状部２１の右端部に縫着連結されている。左、右ベルト部２２Ｌ、２２Ｒにおいては、図１の拡大図部分に示すように、ベルト部の長手方向に伸縮性を有する細帯部２３がベルト部の幅方向において複数並んで配置されており、各隣合う細帯部２３をベルト部幅方向の縦糸２４でつないである。これによって、細帯部２３及び縦糸２４は全体としてベルト部２２の幅方向には実質上非伸縮性を有しており、ベルト部２２長手方向には細帯部２３が延びるにともなって縦糸２４がその隣り合う間隔を変化させ、全体として伸縮性を有する。また、縦糸２４による連結部分は十分な通気性を有しており、ベルト部２２全体として見た場合、ベルト部長手方向の伸縮性及び通気性を有している（図１中の拡大図部分参照）。
【００２７】
下側右ベルト部２２Ｒの端部２２１Ｒは、実質上非伸縮性の通気性を有する網目構造面状体部Ｍｈに形成されており、網目構造面状体部Ｍｈの自由端部Ｍｈ１の裏側に、面状雄ファスナ部２５を備えている。下側左ベルト部２２Ｌの自由端部２２１Ｌの表側に、面状雄ファスナ部２５のフックが係脱可能のループを多数分散形成した面状雌ファスナ部２６が備えられている。
【００２８】
上側腹当て板状部１１の下端部と下側腹当て板状部２１の上端部は相互に連結されており、それによって、上側ベルト１と下側ベルト２は相互に連結されている。また、連結部３において、上側腹当て板状部１１と下側腹当て板状部２１は互いに屈曲可能に接続されている。上側腹当て板状部１１と下側腹当て板状部２１とは互いに屈曲可能であるので、上側腹当て板状部１１が上腹ＵＷに装着された状態で、下側腹当て板状部２１を下腹ＬＷの出具合に応じて、容易に、且つ、確実に下腹ＬＷに下方から持ち上げる姿勢で当接させることができる。
【００２９】
装着者の胴Ｄに腹部サポートベルトＳＢを装着する手順について説明する。
【００３０】
まず、腹部サポートベルトＳＢの上側ベルト１の上側腹当て板状部１１を装着者Ｈの上腹ＵＷに当てがう。そして、板状部１１の左右端部に連結されている上側左、右ベルト部１２Ｌ、１２Ｒを装着者Ｈの胴Ｄの左右それぞれの方向から後ろに回し、上腹ＵＷを整形するのに十分な強さになるように巻き締める。そして、上側右ベルト部１２Ｒの裏側に設けられた面状雄ファスナ部１３１を、面状雌ファスナ部１３２に形成された上側左ベルト部１２Ｌの表側に係合する。
【００３１】
次に、上側ベルト１を上腹ＵＷに装着した状態で、下側腹当て板状部２１を連結部３で屈曲して下腹ＬＷに下方から持ち上げるかのように当てがう。そして、板状部２１に連結されている下側左、右ベルト部２２Ｌ、２２Ｒを装着者Ｈの胴Ｄの左右それぞれの方向から後ろに回し、下腹ＬＷを整形するのに十分な強さになるように巻き締め、下側右ベルト部２２Ｒの端部２２１Ｒの裏側に備えられた面状雄ファスナ部２５を、下側左ベルト部２２Ｌの端部２２１Ｌの表側に備えられた面状雌ファスナ部２６に係合する。このとき、下側左、右ベルト部２２Ｌ、２２Ｒの面状雄ファスナ部２５及び面状雌ファスナ部２６は、上側ベルト部１２と背中側で重ねた位置で係合連結する。下側ベルト部２２を上側ベルト部１２に重ねて巻き締め装着することで下側ベルト２の下側腹当て板状部２１を下腹ＬＷを持ち上げるように装着することができる。これで、装着者Ｈの上腹ＵＷ、下腹ＬＷは、それぞれ、上側腹当て板状部１１及び下側腹当て板状部２１に押さえられて、各板状部１１、２１に連結された上側ベルト部１２、下側ベルト部２２で巻き締められるので、腹部全体を効果的に整形できる。
【００３２】
上記例では、上側ベルト部１２及び下側ベルト部２２いずれも、伸縮性のベルトとしているが、実質上非伸縮性のベルトでもよい。また、上側左右ベルト部１２Ｌ、１２Ｒのいずれか一方のみを伸縮性のベルトとしてもよく、下側左右ベルト部２２Ｌ、２２Ｒについても、いずれか一方のみ伸縮性ベルトとしてもよい。
【００３３】
また、上記例では、上側ベルト１、下側ベルト２ともに所謂面状ファスナ機構を用いて係合しているが、それに限られるものではなく、装着者Ｈの胴Ｄの大きさに対応してサイズ変更及び巻き締め強さの変更を容易に行うことができるものであれば何でもよい。
【００３４】
腹部サポートベルトＳＢを装着しても、サポートベルトＳＢは、部分的に通気性及び吸湿性を有するため、装着者Ｈの装着部（胴Ｄ、上腹ＵＷ、下腹ＬＷ）がむれにくく、それゆえ、長時間の装着や腹部サポートベルトＳＢを装着した上から衣服を着用することも可能である。
【００３５】
腹部サポートベルトＳＢは、上側ベルト１と下側ベルト２を互いに任意の角度をなして上腹、下腹を巻き締めることができるので、腹部全体を見栄えよく整形できる。
【００３６】
【発明の効果】
以上説明したように本発明によると、上腹、下腹それぞれに対し、別々に巻き締め強さを調整して装着できるとともに下腹を持ち上げるように装着でき、もって腹部全体を見栄えよく整形できる腹部サポートベルトを提供することができる。
【図面の簡単な説明】
【図１】腹部サポートベルトの、ベルト部の一部拡大図を併せて示す正面図である。
【図２】図１に示す腹部サポートベルトの背面図である。
【図３】図１に示す腹部サポートベルトを装着した状態の正面図である。
【図４】図１に示す腹部サポートベルトを装着した状態の側面図である。
【符号の説明】
ＳＢ  腹部サポートベルト
１  上側ベルト
１１  上側腹当て板状部
１２  上側ベルト部
１２Ｌ  上側左ベルト部
１２Ｒ  上側右ベルト部
１３１  面状雄ファスナ部
１３２  面状雌ファスナ部
２  下側ベルト
２１  下側腹当て板状部
２２  下側ベルト部
２２Ｌ  下側左ベルト部
２２Ｒ  下側右ベルト部
２３  細帯部
２４  縦糸
２５  面状雄ファスナ部
２６  面状雌ファスナ部
３  連結部
【図１】
0004418611.tif 000002
【図２】
0004418611.tif 000003
【図３】
0004418611.tif 000004
【図４】
0004418611.tif 000005